(57)【要約】【課題】交換が容易な排水栓を提供すること。【解決手段】排水口９０を開閉可能な栓本体３を備える排水栓１は、栓本体３に設けられ、除菌又は抗菌効果を有する薬剤が滲み出る薬剤滲出機構４を備える。薬剤滲出機構４は、薬剤が滲み出る薬剤滲出部４２と、栓本体３の下方に配置されて薬剤滲出部４２を栓本体３の内部に配置するように支持又は収容可能な支持部４１と、を有し、支持部４１の上に薬剤滲出部４２が載置されるか、又は支持部４１内に薬剤滲出部４２が収容されることが好ましい。【選択図】図２
2020153201.tif 000002
【特許請求の範囲】
【請求項１】
排水口を開閉可能な栓本体を備える排水栓であって、
前記栓本体に設けられ、除菌又は抗菌効果を有する薬剤が滲み出る薬剤滲出機構を備える、排水栓。
【請求項２】
前記薬剤滲出機構は、前記薬剤が滲み出る薬剤滲出部と、前記栓本体の下方に配置されて前記薬剤滲出部を前記栓本体の内部に配置するように支持又は収容可能な支持部と、を有し、
前記支持部の上に前記薬剤滲出部が載置されるか、又は前記支持部内に前記薬剤滲出部が収容される、請求項１に記載の排水栓。
【請求項３】
前記支持部は、前記薬剤滲出部を収容可能な容器であり、
前記容器の底面側に、前記薬剤が徐々に流出可能なフィルタ部を有し、
前記薬剤は、前記フィルタ部から徐々に流出する、請求項２に記載の排水栓。
【請求項４】
前記薬剤は、排水される水に溶出する、請求項１〜３のいずれか１項に記載の排水栓。
【請求項５】
さらに紫外線照射機構を有し、
前記紫外線照射機構は、前記栓本体に設けられ、紫外線を照射する紫外線発光部と、前記紫外線発光部を駆動する電源部と、を有する、請求項１〜４のいずれか１項に記載の排水栓。
【請求項６】
前記電源部は、無線で給電される、請求項５に記載の排水栓。
【請求項７】
前記排水口内に挿入される軸部と、
前記軸部に取り付けられ、排水が通過可能であるとともに異物を捕捉可能な捕捉部と、
請求項１〜６のいずれか１項に記載の前記排水栓と、を備え、
前記排水栓は、前記捕捉部より上部に配置されて前記軸部に着脱可能に取り付けられる、排水栓装置。
【発明の詳細な説明】
【技術分野】
【０００１】
本発明は、排水栓に関する。
【背景技術】
【０００２】
従来、洗面台や手洗いシンク等には、水を排水する排水口が形成されており、排水口を開閉可能な排水栓が取り付けられる。排水口には使用後の水が排水されるため、排水口は汚れやすく、掃除をしても汚れを除去しにくい。このため、固形の薬剤を収容することができる薬剤収容保持部を排水口に挿入する軸部と一体に形成し、薬剤収容保持部に排水栓を取り付けた排水栓装置が知られている（例えば、特許文献１参照）。
【先行技術文献】
【特許文献】
【０００３】
【特許文献１】特開２００５−４８３５５号公報
【発明の概要】
【発明が解決しようとする課題】
【０００４】
排水栓装置の軸部に薬剤収容保持部が設けられていると、排水栓装置ごと取り出して交換する必要があり、交換の手間がかかっていた。排水口に挿入される軸部は汚れていることが多く、交換の際に触れることが快適でなかった。
【課題を解決するための手段】
【０００５】
本発明は、排水口（例えば、後述の排水口９０）を開閉可能な栓本体（例えば、後述の栓本体３）を備える排水栓であって、前記栓本体に設けられ、除菌又は抗菌効果を有する薬剤が滲み出る（しみでる）薬剤滲出機構（例えば、後述の薬剤滲出機構４）を備える、排水栓に関する。
【図面の簡単な説明】
【０００６】
【図１】第１実施形態に係る排水栓装置の斜視図である。
【図２】第１実施形態に係る排水栓を示し、（ａ）図は断面図、（ｂ）図は裏面図、（ｃ）図は薬剤滲出部の平面図、（ｄ）図は変形例に係る薬剤滲出部の平面図である。
【図３】第２実施形態に係る排水栓を示し（ａ）図は断面図、（ｂ）図は裏面図である。
【図４】第３実施形態に係る排水栓の模式図である。
【図５】第４実施形態に係る排水栓の模式図である。
【発明を実施するための形態】
【０００７】
以下、本発明の第１実施形態について図面を参照しながら詳細に説明する。図１は、第１実施形態に係る排水栓装置１００の斜視図である。排水栓装置１００は、洗面台のシンク９等に設けられた排水口９０に取り付けられて、排水口９０を開閉するとともに排水栓１を通過するごみ等を捕捉する装置である。排水口９０から下方には、水を排水する排水管９１が連続しており、排水栓装置１００は、排水口９０から下方に挿入するように取り付けられる。排水栓装置１００は、排水栓１と、軸部１１０と、捕捉部としてのヘアキャッチャー１２０及び排水コア１３０と、下端支持部材１４０と、を有する。
【０００８】
軸部１１０は、排水口９０内に挿入されて上下方向に延びる円柱状の部材である。軸部１１０には、以下に説明する下端支持部材１４０、排水コア１３０、ヘアキャッチャー１２０が、下から順に軸部１１０に挿通されて配置される。
【０００９】
下端支持部材１４０は、軸部１１０の下端を支持するとともに、軸部１１０の下端を覆うように取り付けられるキャップ状の部品である。下端支持部材１４０の底面は、平坦な円形である。
【００１０】
ヘアキャッチャー１２０は、軸部１１０に取り付けられ、排水管９１を流れる排水に含まれる髪の毛等の異物を捕捉するフィルターである。ヘアキャッチャー１２０は、排水口９０及び排水管９１内に配置可能な寸法の平面視略円形の外径を有し、ヘアキャッチャー軸部１２１と、捕捉面１２２と、排水貫通孔１２３と、を有する。ヘアキャッチャー軸部１２１は、円筒形状を有し、中心に軸部１１０が挿通する。捕捉面１２２は、ヘアキャッチャー軸部１２１の周囲を螺旋階段状に取り巻く面であり、半月形状の底面が、周方向に段差を有して連続している。排水貫通孔１２３は、捕捉面１２２に形成される排水用の貫通孔であり、排水が通過する。排水が行われると、髪の毛がヘアキャッチャー１２０に捕捉され、複数の排水貫通孔１２３から水が通過する。
【００１１】
排水コア１３０は、ヘアキャッチャー１２０を通過した排水に含まれるごみ等の異物を捕捉するフィルターである。排水コア１３０は、排水口９０及び排水管９１内に配置可能な寸法の略円形の外径を有し、貫通孔１３１と、桟１３２と、排水貫通孔１３３と、を有する。貫通孔１３１は、中心に軸部１１０が挿通可能な円形の孔である。桟１３２は、貫通孔１３１と外周縁の間に放射状に複数配置される。排水貫通孔１３３は、桟１３２同士の間に形成され、排水が通過する。
【００１２】
図２（ａ）は、排水栓１の断面図を示す。排水栓１は、ヘアキャッチャー１２０の上部に配置されて、軸部１１０の上端に着脱可能に取り付けられる。排水栓１は、上方に移動することで排水口９０を開放して水を排水し、下方に移動して排水口９０を塞ぐことで排水口９０を閉じる。図２（ａ）に示すように、排水栓１は、栓本体３と、薬剤滲出機構４と、を有する。
【００１３】
栓本体３は、排水口９０を開閉可能な上部が閉じた略円筒形の部材である。栓本体３は、蓋部３０と、蓋部支持部３１と、周壁部３２と、軸部係合突起３３と、凹部３４と、を有する。
【００１４】
蓋部３０は、円盤状の形状を有し、排水栓１を閉じたときに排水口を塞ぐことが可能なように、排水口の内径に合わされた外径寸法を有する。
【００１５】
蓋部支持部３１は、平面視略円形に形成され、蓋部３０がその上に載せて接着固定される。蓋部支持部３１は中央側が周縁よりもくぼんで形成されている。図示を省略しているが、蓋部支持部３１と蓋部３０との間には、接着剤が介在している。
【００１６】
周壁部３２は、円筒状の周縁であり、蓋部支持部３１から下方に延びて、栓本体３の外周に延びる。周壁部３２は、排水栓１が排水口９０を閉じたときに排水管９１内に嵌まるように合わされた外径寸法を有する。
【００１７】
軸部係合突起３３は、蓋部支持部３１の裏側の中心側から下方に突出する円筒状の突起である。軸部係合突起３３の円筒状の内部に、軸部１１０の上端部が挿入されて、栓本体３が軸部１１０に係合保持される。
【００１８】
凹部３４は、軸部係合突起３３と周壁部３２との間に形成され、蓋部支持部３１の裏側を底面とし、下方が開口した円筒状に形成されている。
【００１９】
図２（ｂ）は、排水栓１を薬剤滲出機構４の下方から視た裏面図である。薬剤滲出機構４は、排水栓１に設けられ、排水栓１から除菌又は抗菌効果を有する薬剤を滲み出させる機構である。薬剤滲出機構４は、支持部４１と、薬剤滲出部４２と、を有する。支持部４１は、図２（ａ）及び図２（ｂ）に示すように、中心に貫通孔４１ａを有する平坦な円形のプレートである。支持部４１の外形は、栓本体３の周壁部３２の内径よりも小さく、支持部４１を軸部１１０に取り付けた状態で、支持部４１の外径と周壁部３２の内径との間には、平面視で略円形の隙間Ｓが形成されている。貫通孔４１ａの内径は、軸部１１０の外径と同じかわずかに小さく形成される。支持部４１は、例えば剛性の高いゴムにより構成され、貫通孔４１ａを弾性変形させながら軸部１１０に密着した状態で位置をずらし、栓本体３の下方に配置される。
【００２０】
図２（ｃ）は、薬剤滲出部４２の平面図である。図２（ｃ）に示すように、薬剤滲出部４２は、除菌又は抗菌効果を有する物質を含有する水溶性の薬剤を含み、薬剤が排水に触れることにより徐々に水に溶出して滲み出るように構成した固形物である。薬剤滲出部４２は、環状に形成されて支持部４１とほぼ同じ外径を有し、支持部４１の貫通孔４１ａよりも大きな径の滲出部貫通孔４２ａを有する。滲出部貫通孔４２ａの内側に、軸部１１０及び軸部係合突起３３が配置される。薬剤滲出部４２は、支持部４１の上に載置されて支持され、栓本体３の凹部３４内に配置される。
【００２１】
第１実施形態では、軸部１１０にヘアキャッチャー１２０を取りつけた後、栓本体３を軸部１１０に取り付ける前に、支持部４１に薬剤滲出部４２を載せた状態で支持部４１の貫通孔４１ａ及び薬剤滲出部４２の滲出部貫通孔４２ａを軸部１１０に通す。その後栓本体３の軸部係合突起３３の内側に軸部１１０を挿入して栓本体３を取り付けると、薬剤滲出部４２が、栓本体３の内側の凹部３４に配置される。薬剤滲出機構４は、薬剤滲出部４２を凹部３４に配置した状態で栓本体３とともに軸部１１０に挿通され、軸部１１０に排水栓１が取り付けられる。薬剤滲出部４２が栓本体３の凹部３４に配置された状態で排水が行われると、水が薬剤滲出部４２にかかって薬剤が溶出する。あるいは、薬剤滲出部４２が栓本体３の裏側に形成された凹部３４に配置されることから、支持部４１、薬剤滲出部４２及び栓本体３を一度に合わせて掴み、貫通孔４１ａ、滲出部貫通孔４２ａ、軸部係合突起３３を軸部１１０に取り付けてもよい。
【００２２】
なお、図２（ｄ）は、変形例に係る薬剤滲出部４２０の平面図である。図２（ｄ）に示すように、薬剤滲出部４２０に貫通孔４２０ａから外周縁へ向かって半径方向に延びるスリット４２１を形成してもよい。スリット４２１の幅は、軸部１１０の幅より大きい。変形例に係る薬剤滲出部４２０は、交換の際に栓本体３を外す必要がなく、栓本体３を軸部１１０に係合させたまま、横からスリット４２１に軸部１１０を通して支持部４１に載置することで取り付けが可能になる。
【００２３】
第１実施形態によれば、以下の効果を奏する。第１実施形態では、排水口９０を開閉可能な栓本体３を備える排水栓１を、栓本体３に設けられ、除菌又は抗菌効果を有する薬剤が滲み出る薬剤滲出機構４を含んで構成した。排水栓１を、栓本体３を含んで構成し、排水栓１に薬剤滲出機構４を設けたので、排水口９０から軸部１１０にヘアキャッチャー１２０や排水コア１３０を挿通させた排水栓装置１００ごと取り出さなくても、軸部１１０の上部に取り付けられている排水栓１のみを取り外すことで薬剤滲出部４２を設置又は交換することができる。このため、交換が容易であり、手指も汚れにくい。
【００２４】
第１実施形態では、薬剤滲出機構４を、薬剤が滲み出る薬剤滲出部４２と、栓本体３の下方に配置されて薬剤滲出部４２を栓本体３の内部に配置するように支持可能な支持部４１と、を含んで構成した。そして、支持部４１の上に薬剤滲出部４２を載置させた。栓本体３に薬剤滲出機構４が設けられており、薬剤滲出部４２を栓本体３の内部に配置するように支持する支持部４１を含むため、薬剤滲出部４２を交換する際に、栓本体３を外して支持部４１の上の薬剤滲出部４２のみを交換すればよい。このため、ヘアキャッチャー１２０等が設けられた排水栓装置１００全体を取り出したり他の汚れた部分を触ったりする必要がなくなり、容易に交換することができ、上記と同様の効果を奏する。
【００２５】
第１実施形態では、薬剤を、排水される水に溶出する性質を有するものにした。薬剤が徐々に溶出することにより、持続的に薬剤滲出機構の効果が得られ、薬剤を交換する頻度も少なくて済む。
【００２６】
本発明は上記実施形態に限定されるものではなく、本発明の目的を達成できる範囲での変形、改良等は本発明に含まれる。図３（ａ）は、第２実施形態に係る排水栓１Ａの側面図であり、図３（ｂ）は、排水栓１Ａの裏面図である。第２実施形態以降の実施形態の説明において、第１実施形態と共通する構成については説明を省略する。
【００２７】
図３（ａ）に示すように、第２実施形態では、栓本体３Ａは凹部３４を有さず、栓本体３Ａの裏面３５は平坦な面である。軸部１１０は、裏面３５の中心に形成された軸部係合凹部３６内に挿入されて取り付けられる。図３（ａ）及び図３（ｂ）に示すように、第２実施形態では、栓本体３Ａの裏面３５に、ドーナツ型の薬剤滲出部４２Ａが貼付されている。薬剤滲出部４２Ａは、栓本体３Ａの裏面３５に接着剤によって接着されるか、又は、薬剤自体の粘性を高く構成し、裏面３５との間に空気を介在させずに密着させることで裏面３５に貼付されている。第２実施形態によれば、栓本体３Ａと薬剤が接着されているので、支持部を介在させずに蓋部３０及び栓本体３Ａのみを交換することができるので、交換がより容易となる。第２実施形態は、栓本体３Ａを構成する材料を樹脂等の製造コストの低廉なものとし、使い捨ての排水栓１に構成することで、利便性がさらに高まる。
【００２８】
図４は、第３実施形態に係る排水栓１Ｂの模式図である。図４に示すように、排水栓１Ｂは、栓本体３Ｂにおける凹部３４の内側に、支持部として、薬剤滲出部４２Ｂを内部に収容可能な容器４１Ｂが取り付けられている。
【００２９】
第３実施形態では、薬剤滲出部４２Ｂは、例えばジェルのような粘性が高い液体そのものにより構成される。薬剤滲出部４２Ｂは、別のボトル等に詰められている薬剤が、容器４１Ｂに供給されて収納される。
【００３０】
容器４１Ｂは、栓本体３Ｂの周壁部３２に対して着脱可能である。容器４１Ｂは、栓本体３よりも小さな外径で内部が中空の略円柱状の形状を有し、開口部４５と、係合部４６と、フィルタ部４７と、を有する。
【００３１】
開口部４５は、容器４１Ｂの上面に形成される貫通孔であり、蓋部３０と対向して配置されている。開口部４５から、薬剤滲出部４２Ｂが供給される。
【００３２】
係合部４６は、容器４１Ｂの下面の略中央部に形成され、下方に向かって開口する円柱状の凹部である。係合部４６の内径は、軸部１１０の外径の外周と合う寸法を有し、内周壁により軸部１１０を押圧するように挿入される。
【００３３】
フィルタ部４７は、容器４１Ｂの底面側で係合部４６の周囲に形成される目の細かいスクリーンである。フィルタ部４７は、小さな無数の貫通孔を有する。容器４１Ｂ内に供給された薬剤滲出部４２Ｂの粘性が高い場合、フィルタ部４７を介して排水が容器４１Ｂ内の薬剤に触れるたびに、薬剤が徐々に溶出して排水栓１の周囲の除菌又は抗菌を行う。
【００３４】
第３実施形態では、薬剤滲出機構４を、薬剤が滲み出る薬剤滲出部４２と、栓本体３の下方に配置されて薬剤滲出部４２を栓本体３の内部に配置するように収容可能な容器４１Ｂと、を含んで構成した。そして、容器４１Ｂ内に薬剤滲出部４２Ｂを収容させた。
【００３５】
第３実施形態によれば、栓本体３Ｂ及び容器４１Ｂが連結され、容器４１Ｂの下面に形成された係合部４６を軸部１１０に係合させるだけで排水栓１の交換が可能なので、交換が容易である。薬剤を粘度の高い液体により構成することで、溶出が早く、効果が迅速に出るため、恒常的に薬剤滲出部４２Ｂを供給するだけでなく、掃除等の際に都度供給するという使い方をしてもよい。
【００３６】
図５は、第４実施形態に係る排水栓１Ｃの模式図である。第４実施形態では、排水栓１Ｃは、栓本体３Ｃの内部に、さらに紫外線照射機構５を備える点で第１〜第４実施形態と異なる。
【００３７】
第４実施形態では、支持部４１Ｃは、紫外線を透過する材料で構成され、例えば透明なアクリル板で構成される。他の構成は、第１実施形態と同様である。薬剤滲出部４２は、薬剤をスポンジのような多孔性物質の内部に滲み込ませたものである。薬剤滲出部４２が排水された水に触れることによって、薬剤が徐々に溶出するようになっている。薬剤滲出部４２は、環状に構成された固形の形状を有し、以下に説明する紫外線照射機構５の基板５２の上に配置される。
【００３８】
紫外線照射機構５は、紫外線発光部５１と、基板５２と、電源部５３と、を有する。紫外線発光部５１、基板５２及び電源部５３は、ゴム素材（図示省略）に被覆されて防水されている。
【００３９】
紫外線発光部５１は、栓本体３に設けられる紫外線を照射する発光ダイオード（ＬＥＤ）の電球である。紫外線発光部５１は、支持部４１Ｃの上面に複数配置されてよい。紫外線発光部５１は、透明な支持部４１Ｃを介して下方に向かって紫外線を照射する。
【００４０】
基板５２は、紫外線発光部５１に接続され、紫外線発光部５１を発光させる回路を有する。
【００４１】
電源部５３は、基板５２を介して紫外線発光部５１に給電する電源である。電源部５３は、二次電池を備える。電源部５３は、二次電池に充電された電力を紫外線発光部５１に給電する。排水管９１には、洗面台の他の設備を駆動するための電気配線（図示省略）が配設されている。電源部５３の二次電池は、電気配線からのワイヤレス給電によって充電されてもよい。
【００４２】
第４実施形態では、さらに紫外線照射機構５を含んで構成し、紫外線照射機構５を、紫外線を照射する紫外線発光部５１と、紫外線発光部５１を駆動する電源部５３と、を含んで構成した。このため、薬剤滲出機構４により洗浄等の機能を有する薬剤が溶出すると同時に、紫外線により排水の除菌又は抗菌を行うことができる。よって、より効果的に排水栓まわりの衛生状態を保つことができる。
【００４３】
第４実施形態では、電源部５３を、排水口９０の周囲に配置される排水器具に設置される電気配線から無線で給電させた。これにより、電池の交換が必要でなくなる。他の設備と連携させた制御も可能になる。
【００４４】
本発明は上記実施形態に限定されるものではなく、本発明の目的を達成できる範囲での変形、改良等は本発明に含まれる。例えば、上記実施形態では、支持部は剛性の高いゴムや樹脂で構成し、軸部１１０に弾性変形により嵌める構成を例に説明しているが、これに限られない。支持部の貫通孔の内壁や、軸部の表面に、支持部と軸部が係合する突起及び凹部を形成して、凹部及び凸部の係合により支持部を軸部に取り付けてもよい。支持部の貫通孔の内壁や、軸部の表面に微小な凹凸を設けて摩擦を大きくすることで、支持部を軸部に取り付けてもよい。あるいは、支持部を軸部に取り付けるのではなく、栓本体の例えば軸部係合突起等に対して係合するように支持部と栓本体とを係合により取り付けてもよい。
【００４５】
紫外線照射機構５の電源部５３は、ワイヤレス給電により電気を供給しているが、これに限られない。排水管９１等に電気配線等の給電設備が備えられていない場合は、ボタン電池等の電池を格納して電源部に電気を供給してもよい。
【００４６】
本発明と同様の効果を奏する発明として、薬剤滲出機構４に変えて、紫外線照射機構５のみを栓本体３に設けてもよい。
【符号の説明】
【００４７】
１      排水栓
３      栓本体
４      薬剤滲出機構
５      紫外線照射機構
４１    支持部
４１Ｂ  容器
４２    薬剤滲出部
４７    フィルタ部
５１    紫外線発光部
５３    電源部
９０    排水口
１００  排水栓装置
１１０  軸部
１２０  ヘアキャッチャー（捕捉部）
１３０  排水コア（捕捉部）
【図１】
2020153201.tif 000003
【図２】
2020153201.tif 000004
【図３】
2020153201.tif 000005
【図４】
2020153201.tif 000006
【図５】
2020153201.tif 000007